(57)【要約】【課題】  金型を複雑にすることなく薄型ディスプレイのデザインを向上させることができなかった。【解決手段】  フロントキャビネット１は枠部１ｂと周壁部１ｃとを有しており、枠部１ｂと周壁部１ｃの連結部分には、前面側から、平坦で０．２〜０．５ｍｍの長さの平坦部１ｄと、半径０．２ｍｍのＲ面取り状の湾曲部１ｅとが形成されている。また、湾曲部１ｅから先の周壁部１ｃは、外周側で１〜３度の内側に狭まるテーパー面となっており、内周側で０．５度の外側に広がるテーパー面となっている。パーティングラインは湾曲部１ｅとテーパー部分との境界のパーティングラインＰＬ１か、平坦部１ｄと湾曲部１ｅとの境界のパーティングラインＰＬ２のいずれかとしている。このようにすることで、アンダーカットを採用してデザイン的に優れた製品としつつも、金型の分離や、成形品の抜きをスムーズに行える。【選択図】  図４
2010256698.tif 000002
【特許請求の範囲】
【請求項１】
筺体の前面側となり、表示面に対応した開口を形成した枠部と、この枠部の周縁から背面側に延出する周壁部とを有するフロントキャビネットと、
筺体の背面側となる薄箱形に形成され、フロントキャビネットの周壁部と接続する周壁部と、背面側を覆う背面壁とを有するリアキャビネットと、
上記フロントキャビネットと上記リアキャビネットからなる筺体に収容されつつ同フロントキャビネットの開口から表示面を露出する薄型ディスプレイパネルとを備え、
上記フロントキャビネットは、枠部と周壁部の連結部位で、パーティングラインに対して垂直となる平坦部と、同平坦部における背面側の端部にはＲ面取り状の湾曲部とを有し、上記周壁部は、外周側で、背面に向かうほど小開口径となるテーパー面を有するとともに、内周側で、背面に向かうほど大開口径となるテーパー面を有することを特徴とする薄型ディスプレイ。
【請求項２】
上記平坦部は、長さが０．２ｍｍ〜０．５ｍｍであることを特徴とする請求項１に記載の薄型ディスプレイ。
【請求項３】
上記湾曲部は、曲面が半径０．２ｍｍであることを特徴とする請求項１または請求項２に記載の薄型ディスプレイ。
【請求項４】
上記周壁部は、外周側のテーパーが１度〜３度であることを特徴とする請求項１〜請求項３のいずれかに記載の薄型ディスプレイ。
【請求項５】
上記周壁部は、内周側のテーパーが０．５度であることを特徴とする請求項１〜請求項４のいずれかに記載の薄型ディスプレイ。
【請求項６】
パーティングラインが、上記湾曲部とテーパー部分との境界であることを特徴とする請求項１〜請求項５のいずれかに記載の薄型ディスプレイ。
【請求項７】
パーティングラインが、上記平坦部と上記湾曲部との境界であることを特徴とする請求項１〜請求項５のいずれかに記載の薄型ディスプレイ。
【請求項８】
筺体の前面側となり、表示面に対応した開口を形成した枠部と、この枠部の周縁から背面側に延出する周壁部とを有するフロントキャビネットと、
筺体の背面側となる薄箱形に形成され、フロントキャビネットの周壁部と接続する周壁部と、背面側を覆う背面壁とを有するリアキャビネットと、
上記フロントキャビネットと上記リアキャビネットからなる筺体に収容されつつ同フロントキャビネットの開口から表示面を露出する薄型ディスプレイパネルとを備え、
上記フロントキャビネットは、枠部と周壁部の連結部位で、パーティングラインに対して垂直となる長さが０．２ｍｍ〜０．５ｍｍの平坦部と、同平坦部における背面側の端部には曲面が半径０．２ｍｍであるＲ面取り状の湾曲部とを有し、上記周壁部は、外周側で、背面に向かうほど小開口径となる１度〜３度のテーパー面を有するとともに、内周側で、背面に向かうほど大開口径となる０．５度のテーパー面を有し、
パーティングラインは、上記湾曲部とテーパー部分との境界であることを特徴とする請求項１に記載の薄型ディスプレイ。
【発明の詳細な説明】
【技術分野】
【０００１】
本発明は、薄型ディスプレイに関する。
【背景技術】
【０００２】
特許文献１に開示される従来技術では、雌側の金型における底面を変更可能とし、フロントキャビネットの形状変更に容易に対応できるようにしている。
特許文献２に開示される従来技術では、フロントキャビネットとリアキャビネットとの接合部位で、抜き方向に配向した可撓リブを使用して係止可能としている。
特許文献３に開示される従来技術では、ポリプロピレン系樹脂発砲シートを使用し、差圧成形で逆テーパーを有する内嵌合可能な容器を成形している。
【０００３】
図５は、従来のフロントキャビネットとリアキャビネットの一部概略断面図であり、図６は、従来のフロントキャビネットにおける周壁部の拡大断面図である。
同図は、フロントキャビネット１、枠部１ｂ、周壁部１ｃ、リアキャビネット２を示している。
フロントキャビネット１においては、枠部１ｂの最外周に周壁部１ｃが連結するが、周壁部１ｃも徐々に外周が大きくなる形状となっている。このため、パーティングラインＰＬを図に示すように周壁部１ｃの終端に設定してもアンダーカットにならない。
【０００４】
また、逆にこの制約があることから周壁部１ｃの方が枠部１ｂよりも外周側に位置させるというデザイン上の足かせが生じていた。
【先行技術文献】
【特許文献】
【０００５】
【特許文献１】実登３１０８６０９
【特許文献２】特開２００７−３２８０３１
【特許文献３】特開２００５−３３５１６８
【発明の概要】
【発明が解決しようとする課題】
【０００６】
上述した特許文献１の技術においては、フロントキャビネットが逆テーパーとなる場合には対応していないという課題があった。
上述した特許文献２の技術においては、フロントキャビネットの周面に逆テーパーを形成するものではないという課題があった。
上述した特許文献３の技術においては、樹脂の材料および差圧成形にて逆テーパーを形成するものであり、テレビジョンのフロントキャビネットに利用する樹脂には適用できないという課題があった。
【０００７】
本発明の目的は、金型を複雑にすることなく薄型ディスプレイのデザインを向上させることにある。
【課題を解決するための手段】
【０００８】
上記課題を解決するため、本発明においては、筺体の前面側となり、表示面に対応した開口を形成した枠部と、この枠部の終端から背面側に延出する周壁部とを有するフロントキャビネットと、筺体の背面側となる薄箱形に形成され、フロントキャビネットの周壁部と接続する周壁部と、背面側を覆う背面壁とを有するリアキャビネットと、上記フロントキャビネットと上記リアキャビネットからなる筺体に収容されつつ同フロントキャビネットの開口から表示面を露出する薄型ディスプレイパネルとを備え、上記フロントキャビネットは、枠部と周壁部の連結部位で、パーティングラインに対して垂直となる平坦部と、同平坦部における背面側の端部にはＲ面取り状の湾曲部とを有し、上記周壁部は、外周側で、背面に向かうほど小開口径となるテーパー面を有するとともに、内周側で、背面に向かうほど大開口径となるテーパー面を有する構成としてある。
【０００９】
上記のように構成した本発明においては、フロントキャビネットとリアキャビネットとが前後方向から合体し、筺体を形成する。同筺体は、内部に薄型ディスプレイパネルを収容する。フロントキャビネットは、枠部と周壁部の連結部位で、パーティングラインに対して垂直となる平坦部を有し、同平坦部における背面側の端部には、曲面加工で内側に湾曲し、上記周壁部は、外周側で、背面に向かうほど小開口径となるテーパー面を有するとともに、内周側で、背面に向かうほど大開口径となるテーパー面を有する。周壁部は平坦部よりも内側に湾曲するアンダーカットとなるが、パーティングラインを平坦部に位置させることで金型の分離は可能となる。
【００１０】
本発明の他の態様においては、上記平坦部は、長さが０．２ｍｍ〜０．５ｍｍである構成としてある。
上記のように構成した本態様においては、平坦部の長さを０．２ｍｍ〜０．５ｍｍとすることにより、外観を損なうことなく金型の分離がスムーズに行われる。
本発明の他の態様においては、上記湾曲部は、曲面が半径０．２ｍｍである構成としてある。
【００１１】
上記のように構成した本態様においては、湾曲部を半径０．２ｍｍとすることにより、外観を損なうことなく金型の分離がスムーズに行われる。
本発明の他の態様においては、上記周壁部は、外周側のテーパーが１度〜３度である構成としてある。
上記のように構成した本態様においては、周壁部における外周側のテーパーを１度〜３度とすることにより、フロントキャビネットとリアキャビネットとの当接位置を最も外枠の部分よりもほぼ真っ直ぐに背面側に移動させつつ、金型の分離がスムーズに行われる。
【００１２】
本発明の他の態様においては、上記周壁部は、内周側のテーパーが０．５度である構成としてある。
上記のように構成した本態様においては、周壁部における内周側のテーパーを０．５度とすることにより、金型の分離がスムーズに行われる。
本発明の他の態様においては、パーティングラインが上記湾曲部とテーパー部分との境界である構成としてある。
【００１３】
上記のように構成した本態様においては、パーティングラインを湾曲部とテーパー部分との境界とすることで、外観上、パーティングラインが現れにくくなる。
本発明の他の態様においては、パーティングラインが上記平坦部と上記湾曲部との境界である構成としてある。
上記のように構成した本態様においては、パーティングラインを平坦部と湾曲部との境界とすると、金型の分離がスムーズに行われる。
【発明の効果】
【００１４】
上記のように構成した本発明によれば、フロントキャビネットとリアキャビネットとの当接位置が最も外枠の部分よりも、背面側に移動することになり、デザイン的に優れた筺体となる。また、このようなアンダーカットとしつつも、周壁部の傾斜やパーティングラインに設けた平坦部と曲面加工で金型の分離は可能となる。
また、請求項２の発明によれば、外観を損なうことなく金型の分離がスムーズに行われる。
【００１５】
また、請求項３の発明によれば、外観を損なうことなく金型の分離がスムーズに行われる。
また、請求項４の発明によれば、フロントキャビネットとリアキャビネットとの当接位置をほぼ真っ直ぐに背面側に移動させつつ、金型の分離がスムーズに行われる。
また、請求項５の発明によれば、金型の分離がスムーズに行われる。
また、請求項６の発明によれば、外観上、パーティングラインが現れにくくなり、デザイン的に優れる。
【００１６】
また、請求項７の発明によれば、金型の分離がスムーズに行われる。
【図面の簡単な説明】
【００１７】
【図１】一般的な薄型ディスプレイの概略断面図である。
【図２】フロントキャビネットとリアキャビネットの接続状態を示す拡大断面図である。
【図３】フロントキャビネットの枠部と周壁部の拡大断面図である。
【図４】フロントキャビネットにおける周壁部の拡大断面図である。
【図５】従来のフロントキャビネットとリアキャビネットの一部概略断面図である。
【図６】従来のフロントキャビネットにおける周壁部の拡大断面図である。
【発明を実施するための形態】
【００１８】
以下、図面を参照しながら、本発明の実施の形態について、詳細に説明する。
図１は、一般的な薄型ディスプレイの概略断面図である。
同図は、フロントキャビネット１、開口１ａ、リアキャビネット２、薄型ディスプレイパネル３、表示面３ａを示している。
次に、これらについて説明する。
フロントキャビネット１は、筺体の前面側を構成し、開口１ａを有する枠形状となっている。開口１ａは、フロントキャビネット１に形成され、表示面３ａを露出させている。リアキャビネット２は、筺体の後面側を構成する薄箱形に形成され、筺体の内部に薄型ディスプレイパネル３などを収容できるようにするために凹部形状となっている。薄型ディスプレイパネル３は、液晶パネルやプラズマパネルなどの厚みの薄い薄箱形状とされており、前面に表示面３ａを有するとともに側面と背面は金属製のケースに覆われている。また、表示面３ａは、前面側に位置し、所定の映像信号に対応した映像を表示する面である。
【００１９】
図２は、フロントキャビネットとリアキャビネットの接続状態を示す拡大断面図である。
同図は、フロントキャビネット１、開口１ａ、枠部１ｂ、周壁部１ｃ、リアキャビネット２を示している。
また、図３は、フロントキャビネットの枠部と周壁部の拡大断面図である。
同図は、フロントキャビネット１、開口１ａ、枠部１ｂ、周壁部１ｃ、平坦部１ｄ、湾曲部１ｅを示している。
【００２０】
さらに、図４は、フロントキャビネットにおける周壁部の拡大断面図である。
同図は、フロントキャビネット１、枠部１ｂ、周壁部１ｃ、平坦部１ｄ、湾曲部１ｅを示している。
次に、これらについて説明する。
枠部１ｂは、表示面３ａを露出させる開口１ａの外側部分で、前面に面している壁面部分である。周壁部１ｃは、枠部１ｂの周縁から背面側へ所定距離だけ延出される側壁部分である。
【００２１】
次に、これらの関係について説明する。
枠部１ｂの周縁から背面側へ所定距離延設される側面が周壁部１ｃである。平坦部１ｄは周壁部１ｃの一部であり、枠部１ｂから周壁部１ｃへと切り替わる部位で、金型の分離方向と平行、言い換えるとパーティングラインと垂直となる側面部分である。ここで、平坦部１ｄの長さは０．２ｍｍ〜０．５ｍｍである。湾曲部１ｅは周壁部１ｃの一部であり、上記平坦部１ｄにおける背面側の端部から微細な径（曲面が半径０．２ｍｍ）のＲ面取り状とした部位である。
【００２２】
周壁部１ｄの外周側は、枠部１ｂの外周よりも内側に傾斜している。これはアンダーカットとなるため、周壁部１ｄの背面側の端部位置に金型のパーティングラインを設定すると成形品を取り出せなくなる。このため、本実施形態ではパーティングラインを枠部１ｂと周壁部１ｄとの連結部位に設定している。
図４にはパーティングラインとして二つの設定例（ＰＬ１，ＰＬ２）を示している。
【００２３】
パーティングラインＰＬ１は、パーティングラインの痕が現れにくくすることを重視した位置である。湾曲部１ｅと、その先のテーパー部分との境界位置をパーティングラインとしている。前面側から平坦部１ｄがあり、続いて湾曲部１ｅを経て外周は一端狭まる。その後、平面状のテーパー部分が始まるため、湾曲部１ｅとテーパー部分との境界は凹部となる。ここにわずかなパーティングライン痕が発生したとしても、外観上はほとんど視認できない。従って、デザイン的には優れた製品とすることができる。
【００２４】
また、パーティングラインＰＬ２は、平坦部１ｄと湾曲部１ｅとの境界に設定してある。平坦部１ｄはこのフロントキャビネット１においては最も外周が大となる部位である。そして、湾曲部１ｅはこの平坦部１ｄに連続する部位である。この両者の境界にパーティングラインＰＬ２を設定することにより、金型は最も外周の大となる部位で分離することになるから、金型からの成形品の分離がスムーズに行われる。また、パーティングライン痕も平坦な部位から湾曲し始める部位に生じるので、さほど気にならない。
【００２５】
パーティングラインを上述した位置に設定するだけではアンダーカットを必ずしも解消するとは言えない。本実施形態では、周壁部１ｃの外周側と内周側にテーパーを形成することで金型の分離、成形品の抜きをスムーズに行えるようにしている。
周壁部１ｃの外周側は、背面に向かうほど小開口径となる１〜３度のテーパー面としている。この角度はアンダーカット形状を視認できるために必要な角度であるし、少なくとも金型の分離時にアンダーカットとならないようにするためには十分な角度である。
【００２６】
周壁部１ｃの内周側は、背面に向かうほど大開口径となる０．５度のテーパー面としている。内外で大きな角度を形成すると周壁部１ｃの厚みの変化が大きくなりすぎる。このため、内周側ではアンダーカットを解消するために必要な最小の角度としている。
このように外周側と内周側の両面でテーパーとすることにより、金型の分離と成形品の抜きをスムーズに行えるようにしている。
【００２７】
なお、平坦部１ｄとして０．２〜０．５ｍｍ設定しているが、この平坦部１ｄを作ることで成形品の外周が安定し、パーティングライン痕を生じさせにくくすることができる。また、湾曲部１ｅは半径が０．２ｍｍと微細であり、パーティングライン痕を生じさせないようにするには十分でありつつ、通常では視認できないのでデザインに悪影響を与えるものでもない。
【００２８】
次に、特許請求の範囲の記載と実施例の各構成部品との対応を示す。
特許請求の範囲に記載したフロントキャビネットは、フロントキャビネット１と、開口１ａと、枠部１ｂと、周壁部１ｃと、平坦部１ｄと、湾曲部１ｅとによって構成されている。
特許請求の範囲に記載したリアキャビネットは、リアキャビネット２と、周壁部２ａと、背面壁２ｂとによって構成されている。
【００２９】
特許請求の範囲に記載した薄型ディスプレイパネルは、薄型ディスプレイパネル３と、表示面３ａとによって構成されている。
特許請求の範囲に記載した平坦部は、平坦部１ｄによって構成されている。
特許請求の範囲に記載した湾曲部は、湾曲部１ｅによって構成されている。
特許請求の範囲に記載した周壁部は、周壁部１ｃによって構成されている。
【００３０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
【００３１】
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【産業上の利用可能性】
【００３２】
本発明は、薄型ディスプレイに利用することができる。
【符号の説明】
【００３３】
１…フロントキャビネット、１ａ…開口、１ｂ…枠部、１ｃ…周壁部、１ｄ…平坦部、１ｅ…湾曲部、２…リアキャビネット、２ａ…周壁部、２ｂ…背面壁、３…薄型ディスプレイパネル、３ａ…表示面
【図１】
2010256698.tif 000003
【図２】
2010256698.tif 000004
【図３】
2010256698.tif 000005
【図４】
2010256698.tif 000006
【図５】
2010256698.tif 000007
【図６】
2010256698.tif 000008